(57)【要約】【課題】盗難された記録媒体を迅速に特定して盗難された記録媒体の使用を防止すること。【解決手段】台間装置では、記憶部が、直前に返却した記録媒体の識別子を記憶し、問合せ受付部が、直前に返却した記録媒体の問い合わせを受け付け、問い合わせを受け付けた場合に、識別子通知部が、識別子を管理装置へ通知するように構成する。また、管理装置では、取扱停止指示送信部が、台間装置から通知された識別子に対応する記録媒体に関する処理を停止するように、自装置が管理するすべての台間装置およびすべての記録媒体取扱装置に対して指示するように構成する。【選択図】        図２
2014121532.tif 000002
【特許請求の範囲】
【請求項１】
第１の遊技機に対応して設けられる第１の台間装置と、前記第１の遊技機と異なる第２の遊技機に対応して設けられる第２の台間装置と、前記第１の台間装置及び前記第２の台間装置を管理する管理装置とを含む記録媒体管理システムであって、
前記第１の台間装置は、
遊技者が遊技にて獲得した遊技媒体を計数する計数手段と、
所定の返却指示に基づいて、記録媒体に対し前記計数手段にて計数した遊技媒体を獲得遊技媒体として関連付けて排出する関連付手段と、
前記関連付手段によって排出した記録媒体の識別子を記憶する識別子記憶手段と、
所定の問い合わせ指示を受け付けて、前記識別子記憶手段に記憶した識別子を前記管理装置へ通知する識別子通知手段と
を備え、
前記管理装置は、
前記第１の台間装置から通知された前記識別子に対応する記録媒体について、所定の停止指示を指示する停止指示手段
を備え、
前記第２の台間装置は、
前記記録媒体を受け付けて前記記録媒体に関連付けられた獲得遊技媒体を特定する特定手段と、
前記特定手段にて特定された獲得遊技媒体を遊技機にて再使用可能にする再使用処理手段と、
前記管理装置から前記停止指示を受け付けたとき、少なくとも前記記録媒体に関連付けられた獲得遊技媒体に基づく再使用処理及び当該獲得遊技媒体の更新処理が不能になるよう、自装置の状態を制御する停止制御手段と
を備えたことを特徴とする記録媒体管理システム。
【請求項２】
前記第２の台間装置は、
前記管理装置からの前記停止指示の対象である記録媒体を受け付けた場合に、当該記録媒体の返却を行わないように制限する返却制限手段
をさらに備えたことを特徴とする請求項１に記載の記録媒体管理システム。
【請求項３】
前記第２の台間装置は、
前記返却制限手段が前記記録媒体の返却制限を行った旨を報知する報知手段
をさらに備えたことを特徴とする請求項１または２に記載の記録媒体管理システム。
【請求項４】
遊技機に対応して設けられる台間装置と、景品交換を受け付ける景品交換機と、前記台間装置及び前記景品交換機に通信可能に接続される管理装置とを含む記録媒体管理システムであって、
前記台間装置は、
遊技者が遊技にて獲得した遊技媒体を計数する計数手段と、
所定の返却指示に基づいて、記録媒体に対し前記計数手段にて計数した遊技媒体を獲得遊技媒体として関連付けて排出する関連付手段と、
前記関連付手段によって排出した記録媒体の識別子を記憶する識別子記憶手段と、
所定の問い合わせ指示を受け付けて、前記識別子記憶手段に記憶した識別子を前記管理装置へ通知する識別子通知手段と
を備え、
前記管理装置は、
前記台間装置から通知された前記識別子に対応する記録媒体について、所定の停止指示を指示する停止指示手段
を備え、
前記景品管理機は、
前記記録媒体を受け付けて前記記録媒体に関連付けられた獲得遊技媒体を特定する特定手段と、
前記特定手段にて特定された獲得遊技媒体を使用して景品交換処理を行う景品交換処理手段と、
前記特定手段にて特定された獲得遊技媒体を使用して貯遊技媒体処理を行う貯遊技媒体処理手段と、
前記管理装置から前記停止指示を受け付けたとき、少なくとも前記記録媒体に関連付けられた獲得遊技媒体に基づく景品交換処理及び貯遊技媒体処理が不能になるよう、自装置の状態を制御する停止制御手段と
を備えたことを特徴とする記録媒体管理システム。
【発明の詳細な説明】
【技術分野】
【０００１】
この発明は、記録媒体の有価価値に基づいて遊技媒体を貸し出す台間装置と、台間装置以外の記録媒体取扱装置と、台間装置および記録媒体取扱装置を管理する管理装置とで記録媒体を管理する記録媒体管理システムに関し、特に、盗難された記録媒体を迅速に特定することができるとともに、盗難された記録媒体の使用を防止することができる記録媒体管理システムに関するものである。
【背景技術】
【０００２】
従来から、パチンコ店などの遊技店に設置されるパチンコ機やパチスロ機といった遊技機と並設され、パチンコ玉やメダルといった遊技媒体を貸し出す貸出処理機（以下、「台間装置」と記載する）が知られている。
【０００３】
かかる台間装置は、紙幣を受け入れて遊技媒体を貸し出すとともに、ＩＣ（Integrated  Circuit）カードのような記録媒体を受け入れて遊技媒体を貸し出す。ここで、記録媒体としては、予め所定の有価価値を記憶したプリペイドカード、遊技店の会員に対して配布され貯玉データ等を記憶することが可能な会員カード、一般の遊技者が使用可能な一般カード（ビジターカード）などがある。
【０００４】
また、近年では、遊技機において遊技者が獲得した遊技媒体の数量を各台間装置が計数する、いわゆる各台計数方式も導入されてきており、上記した記録媒体には、遊技者が獲得した遊技媒体の数量をあらわす計数データ（持玉データ）も記録されるようになってきた。なお、各台計数方式を用いた遊技店システムについては、たとえば、特許文献１に開示されている。
【先行技術文献】
【特許文献】
【０００５】
【特許文献１】特開平１０−１１８３２３号公報
【発明の概要】
【発明が解決しようとする課題】
【０００６】
しかしながら、上記した各台計数方式を導入すると、記録媒体に価値付けられる価値が高価となるため、記録媒体の盗難が多発するという問題がある。たとえば、プリペイドカードに価値付けられる最高額は１万円であったが、計数データ（持玉データ）も記憶することとすると、１０万円以上の価値をもつ記録媒体も存在することになり、盗難の危険性が高いといえる。
【０００７】
そして、記録媒体（カード）を盗難した人は、遊技店内でカードの精算や景品交換を行って現金を得ようとするので、カードの盗難が発生した場合には、迅速な対処をとる必要がある。しかし、盗難カードの特定には、一般的に時間を要するので、その間に、精算や景品交換による被害を受けてしまう。
【０００８】
これらのことから、盗難された記録媒体を迅速に特定することができるとともに、盗難された記録媒体の使用を防止することができる記録媒体管理システムをいかにして実現するかが大きな課題となっている。
【０００９】
この発明は、上述した従来技術による問題点を解消するためになされたものであって、盗難された記録媒体を迅速に特定することができるとともに、盗難された記録媒体の使用を防止することができる記録媒体管理システムを提供することを目的とする。
【課題を解決するための手段】
【００１０】
上述した課題を解決し、目的を達成するため、本発明は、第１の遊技機に対応して設けられる第１の台間装置と、前記第１の遊技機と異なる第２の遊技機に対応して設けられる第２の台間装置と、前記第１の台間装置及び前記第２の台間装置を管理する管理装置とを含む記録媒体管理システムであって、前記第１の台間装置は、遊技者が遊技にて獲得した遊技媒体を計数する計数手段と、所定の返却指示に基づいて、記録媒体に対し前記計数手段にて計数した遊技媒体を獲得遊技媒体として関連付けて排出する関連付手段と、前記関連付手段によって排出した記録媒体の識別子を記憶する識別子記憶手段と、所定の問い合わせ指示を受け付けて、前記識別子記憶手段に記憶した識別子を前記管理装置へ通知する識別子通知手段とを備え、前記管理装置は、前記第１の台間装置から通知された前記識別子に対応する記録媒体について、所定の停止指示を指示する停止指示手段を備え、前記第２の台間装置は、前記記録媒体を受け付けて前記記録媒体に関連付けられた獲得遊技媒体を特定する特定手段と、前記特定手段にて特定された獲得遊技媒体を遊技機にて再使用可能にする再使用処理手段と、前記管理装置から前記停止指示を受け付けたとき、少なくとも前記記録媒体に関連付けられた獲得遊技媒体に基づく再使用処理及び当該獲得遊技媒体の更新処理が不能になるよう、自装置の状態を制御する停止制御手段とを備えたことを特徴とする。
【００１１】
また、本発明は、上記の発明において、前記第２の台間装置は、前記管理装置からの前記停止指示の対象である記録媒体を受け付けた場合に、当該記録媒体の返却を行わないように制限する返却制限手段をさらに備えたことを特徴とする。
【００１２】
また、本発明は、上記の発明において、前記第２の台間装置は、前記返却制限手段が前記記録媒体の返却制限を行った旨を報知する報知手段をさらに備えたことを特徴とする。
【００１３】
また、本発明は、遊技機に対応して設けられる台間装置と、景品交換を受け付ける景品交換機と、前記台間装置及び前記景品交換機に通信可能に接続される管理装置とを含む記録媒体管理システムであって、前記台間装置は、遊技者が遊技にて獲得した遊技媒体を計数する計数手段と、所定の返却指示に基づいて、前記記録媒体に対し前記計数手段にて計数した遊技媒体を獲得遊技媒体として関連付けて排出する関連付手段と、前記関連付手段によって排出した記録媒体の識別子を記憶する識別子記憶手段と、所定の問い合わせ指示を受け付けて、前記識別子記憶手段に記憶した識別子を前記管理装置へ通知する識別子通知手段とを備え、前記管理装置は、前記台間装置から通知された前記識別子に対応する記録媒体について、所定の停止指示を指示する停止指示手段を備え、前記景品管理機は、前記記録媒体を受け付けて前記記録媒体に関連付けられた獲得遊技媒体を特定する特定手段と、前記特定手段にて特定された獲得遊技媒体を使用して景品交換処理を行う景品交換処理手段と、前記特定手段にて特定された獲得遊技媒体を使用して貯遊技媒体処理を行う貯遊技媒体処理手段と、前記管理装置から前記停止指示を受け付けたとき、少なくとも前記記録媒体に関連付けられた獲得遊技媒体に基づく景品交換処理及び貯遊技媒体処理が不能になるよう、自装置の状態を制御する停止制御手段とを備えたことを特徴とする。
【発明の効果】
【００１４】
本発明によれば、台間装置は、第１の遊技機に対応して設けられる第１の台間装置と、前記第１の遊技機と異なる第２の遊技機に対応して設けられる第２の台間装置と、前記第１の台間装置及び前記第２の台間装置を管理する管理装置とを含む記録媒体管理システムであって、前記第１の台間装置は、遊技者が遊技にて獲得した遊技媒体を計数する計数手段と、所定の返却指示に基づいて、記録媒体に対し前記計数手段にて計数した遊技媒体を獲得遊技媒体として関連付けて排出する関連付手段と、前記関連付手段によって排出した記録媒体の識別子を記憶する識別子記憶手段と、所定の問い合わせ指示を受け付けて、前記識別子記憶手段に記憶した識別子を前記管理装置へ通知する識別子通知手段とを備え、前記管理装置は、前記第１の台間装置から通知された前記識別子に対応する記録媒体について、所定の停止指示を指示する停止指示手段を備え、前記第２の台間装置は、前記記録媒体を受け付けて前記記録媒体に関連付けられた獲得遊技媒体を特定する特定手段と、前記特定手段にて特定された獲得遊技媒体を遊技機にて再使用可能にする再使用処理手段と、前記管理装置から前記停止指示を受け付けたとき、少なくとも前記記録媒体に関連付けられた獲得遊技媒体に基づく再使用処理及び当該獲得遊技媒体の更新処理が不能になるよう、自装置の状態を制御する停止制御手段とを備えることとしたので、獲得遊技媒体数が関連付けられた盗難された記録媒体を迅速に特定することができるとともに、盗難された記録媒体の使用と獲得遊技媒体数の使用を防止することができるという効果を奏する。
【００１５】
また、本発明によれば、第２の台間装置は、管理装置からの停止指示の対象である記録媒体を受け付けた場合に、この記録媒体についての処理を禁止することとしたので、盗難された記録媒体の使用を防止することができるという効果を奏する。
【００１６】
また、本発明によれば、第２の台間装置は、記録媒体の返却制限を行った旨を報知することとしたので、盗難された記憶媒体を迅速に回収することができるとともに、盗難された記憶媒体を使用した人物を特定しやすいという効果を奏する。
【図面の簡単な説明】
【００１７】
【図１】本発明に係る記録媒体管理手法の概要を示す図である。
【図２】本実施例に係る記録媒体管理システムの構成を示すブロック図である。
【図３】台間装置の外観図である。
【図４】記録媒体管理システムを構成する各装置が実行する処理手順を示すフローチャートである。
【図５】表示／操作部経由で最終返却識別子の問い合わせを行う場合の処理手順を示すフローチャートである。
【図６】管理装置経由で最終返却識別子の問い合わせを行う場合の概要を示す図である。
【図７】管理装置経由で最終返却識別子の問い合わせを行う場合の処理手順を示すフローチャートである。
【発明を実施するための形態】
【００１８】
以下に添付図面を参照して、本発明に係る記録媒体管理手法の好適な実施例を詳細に説明する。なお、以下では、本発明に係る記録媒体管理手法の概要について図１を用いて説明した後に、本発明に係る記録媒体管理手法を適用した記録媒体管理システムについての実施例を図２〜図７を用いて説明することとする。
【００１９】
図１は、本発明に係る記録媒体管理手法の概要を示す図である。なお、同図では、記録媒体のことを「カード」と記載している。また、同図に示す管理装置は、カード盗難が発生した台間装置およびその他の台間装置、精算機１００や景品交換機２００といった記録媒体取扱装置とＬＡＮ（Local  Area  Network）などのネットワーク経由で接続されており、これらの装置を管理する。
【００２０】
ここで、台間装置は、各台計数機能を有しているものであっても有していないものであってもよい。たとえば、各台計数機能を有した台間装置の場合、遊技者の操作によって残度数および計数値（各台計数機能で計数された計数値）を記録した記録媒体（カード）を遊技者へ返却する。そして、カードを返却された遊技者は、カードを精算機１００へ挿入することで、残度数に応じた貨幣を受け取る。また、遊技者は、景品交換コーナーへカードを持参し、景品交換機２００のカード読み取り装置へカードをかざすことで、計数値に応じた景品を受け取ることになる。
【００２１】
同図に示すように、特定の台間装置でカード盗難が発生すると（同図の（０）参照）、カードが盗難された旨を通知された係員は、自身が携帯するリモコン（携帯端末装置）の「仮停止ボタン」を押下するなどして、カード盗難が発生した台間装置に対して最終返却カードの仮停止指示を行う（同図の（１）参照）。ここで、最終返却カードとは、台間装置が、直近に返却したカードのことを指す。
【００２２】
リモコン経由で仮停止指示を受けた台間装置は、最終返却カードから読み取っておいたカード識別子を最終返却識別子として管理装置へ送信する（同図の（２）参照）。そして、管理装置は、すべての台間装置、すべての精算機１００およびすべての景品交換機２００に対して該当カード（最終返却識別子と一致する識別子のカード）の取扱停止指示を送信する（同図の（３）参照）。
【００２３】
そして、台間装置、精算機１００および景品交換機２００は、管理装置から指示された識別子を有するカードの取扱いを停止する。具体的には、管理装置から指示された識別子を有するカードを受け付けるとカードを自装置内で保持して返却を行わず、報知処理等を実行する。そして、該当カードに関する処理をすべて禁止する。具体的には、カードに対する計数値の記録処理、カードを用いた玉貸し処理、カードに関連付けられた計数値に基づく計数玉の払い出し処理、カードの返却処理といった、該当カードに関するすべての処理を禁止する（処理禁止機能）。
【００２４】
このように、本発明に係る記録媒体管理手法では、台間装置が、最終返却カードのカード識別子を記憶しておき、係員のリモコンから最終返却カードの仮停止指示を受けると、最終返却識別子を管理装置へ通知することとした。そして、管理装置は、配下の記録媒体取扱装置（台間装置、精算機１００および景品交換機２００）に対して最終返却識別子を有するカードの取扱停止を指示することとした。
【００２５】
したがって、本発明に係る記録媒体管理手法によれば、盗難されたカードを迅速に特定することができるとともに、特定した盗難カードの取扱いを迅速に停止することができる。なお、同図では、係員が携帯するリモコンからの問い合わせに応じて台間装置が最終返却識別子を管理装置へ通知する場合について示したが、最終返却識別子の問い合わせは、管理装置や、他の記録媒体取扱装置（たとえば、景品交換機２００）から行うことも可能である。
【００２６】
また、本発明に係る記録媒体管理手法は、記録媒体を一意に識別する識別子が記憶されているカードであれば、会員カード、プリペイドカード、一般カード（ビジターカード）の種別を問わず適用対象とすることができる。そして、本発明に係る記録媒体管理手法は、記録媒体に価値付けられる有価価値が高額となりやすい各台計数方式における記録媒体の盗難防止に特に有用である。
【００２７】
以下では、図１を用いて説明した記録媒体管理手法を適用した記録媒体管理システムについての実施例を説明する。
【実施例】
【００２８】
図２は、本実施例に係る記録媒体管理システム１の構成を示すブロック図である。なお、同図には、代表的な記録媒体取扱装置である台間装置１０のみを示しているが、図１に示した精算機１００および景品交換機２００も、同図に示す台間装置１０と同様の処理禁止機能を有するものとする。
【００２９】
ここで、台間装置１０の概要構成を説明するために、図３を用いて台間装置１０の外観について説明しておく。図３は、台間装置１０の外観図である。なお、同図には、台間装置１０が併設された遊技機５１を破線で示している。また、図３に示した台間装置１０は、各台計数機能を備えたものである。
【００３０】
図３に示すように、台間装置１０は、盗難カードの返却制限を行った場合などに点灯する状態表示部４１と、遊技媒体の貸し出しのための各種紙幣を受け付ける紙幣挿入部４２と、係員が携帯するリモコン（携帯端末装置）からの指示を受け付けるリモコン受光部４３と、ディスプレイおよびテンキーなどの操作キーで構成される表示／操作部４４と、持ち玉等の遊技媒体を払い出すノズルを備えた持ち玉払出部４５と、計数値が記録されたカードを発行するカード発行部４６と、持ち玉（獲得玉）を計数する計数部４７と、持ち玉（獲得玉）を貯留する玉貯留部４８とを備えている。
【００３１】
また、玉貯留部４８の前面には、持ち玉（獲得玉）の計数結果などを表示する計数表示部４９と、持ち玉を用いた遊技を指示するための持ち玉払出ボタン５０とを備えている。台間装置１０は、同図の５２に示す遊技機５１の下皿から持ち玉（獲得玉）を玉貯留部４８へ誘導し、計数部４７で持ち玉（獲得玉）の数量を計数する。
【００３２】
そして、遊技者が、持ち玉払出ボタン５０を押下した場合には、持ち玉（獲得玉）を持ち玉払出部４５経由で遊技機５１へ投出する。なお、持ち玉払出部４５は、紙幣挿入部４２へ紙幣が挿入され、遊技機５１の貸し出しボタンが押下された場合の払い出しも併せて行う。
【００３３】
図２の説明に戻り、台間装置１０の構成について説明する。台間装置１０は、リモコン受光部１１(図３の４３に対応)と、状態表示部１２（図３の４１に対応）と、カード保持部１３と、カードＲ／Ｗ１４と、通信Ｉ／Ｆ１５と、制御部１６と、記憶部１７とを備えている。
【００３４】
そして、制御部１６は、問合わせ受付部１６ａと、識別子通知部１６ｂと、取扱停止指示受付部１６ｃと、処理禁止部１６ｄとをさらに備えており、記憶部１７は、最終返却識別子１７ａと、制限識別子１７ｂとを記憶する。なお、図２では、図３で説明した各構成要素の中から台間装置１０の特徴点を説明するために必要な構成要素のみを抜粋して示している。
【００３５】
リモコン受光部１１は、係員が携帯するリモコンが発する赤外線などの光を受光し、リモコンからの仮停止指示（すなわち、最終返却カードの識別子の問い合わせ）を、制御部１６の問合せ受付部１６ａへ渡す処理を行う。また、状態表示部１２は、ＬＥＤ（Light  Emitting  Diode）などの発光デバイスで構成され、カード保持部１３から盗難カードの処理禁止制限を行った旨を通知された場合に、所定の色で発光するなどして係員に対する報知を行う。
【００３６】
カード保持部１３は、台間装置１０に挿入されたカードを保持する。なお、このカード保持部１３は、処理禁止部１６ｄから指示を受けた場合に、挿入されたカードを返却せず、状態表示部１２へ返却制限を行った旨を通知する。
【００３７】
カードＲ／Ｗ１４は、計数部（図３の４７参照）によって計数された持ち玉（獲得玉）の計数値を、カード保持部１３に保持されたカードへ書き込む処理を行うとともに、カード保持部１３がカードを返却する際には、返却したカードのカード識別子を、最終返却識別子１７ａとして記憶部１７へ記憶させる処理を行う。なお、このカードＲ／Ｗ１４は、カード保持部１３に保持されたカードからカード識別子を読み取り、読み取った識別子を処理禁止部１６ｄへ通知する処理を併せて行う。
【００３８】
通信Ｉ／Ｆ（インターフェース）１５は、ＬＡＮカードなどの通信デバイスで構成され、ＬＡＮなどのネットワーク経由で、台間装置１０／管理装置２０間のデータ送受信を行う。
【００３９】
制御部１６は、リモコン受光部１１経由で仮停止指示（最終返却カードの識別子の問い合わせ）を受け取った場合に、最終返却識別子１７ａを管理装置２０へ送信する処理を行う処理部である。また、この制御部１６は、管理装置２０から取扱停止指示を受信した場合には、カードに対する計数値の記録処理、カードを用いた玉貸し処理、カードに関連付けられた計数値に基づく計数玉の払い出し処理、カードの返却処理といった、該当するカードについての処理を禁止する処理部でもある。
【００４０】
問合せ受付部１６ａは、リモコン受光部１１経由で仮停止指示（最終返却カードの識別子の問い合わせ）を受け付けた旨を識別子通知部１６ｂへ出力する処理を行う処理部である。なお、図２では、リモコン受光部１１経由で、最終返却カードの識別子の問い合わせを受け付ける場合について示したが、図３に示した表示／操作部４４経由で係員によって入力された所定のコードを、最終返却カードの識別子の問い合わせとして受け付けることとしてもよい。また、この問合せ受付部１６ａが、管理装置２０から通信Ｉ／Ｆ１５経由で最終返却カードの識別子の問い合わせを受け付けることとしてもよい。
【００４１】
識別子通知部１６ｂは、問合せ受付部１６ａから、最終返却カードの識別子の問い合わせを受け付けた旨を通知された場合に、記憶部１７から最終返却識別子１７ａを読み出し、読み出した最終返却識別子１７ａを通信１／Ｆ１５経由で管理装置２０へ通知する処理を行う処理部である。
【００４２】
取扱停止指示受付部１６ｃは、管理装置２０から通信Ｉ／Ｆ１５経由で取扱停止指示を受け取った場合に、この取扱停止指示に含まれるカード識別子を、制限識別子１７ｂとして記憶部１７へ記憶させる処理を行う処理部である。
【００４３】
処理禁止部１６ｄは、カードＲ／Ｗ１４経由で受け取ったカード識別子と、記憶部１７の制限識別子１７ｂとを対比し、両者が一致した場合に、該当するカードに関する処理の禁止を指示する処理を行う処理部である。具体的には、この処理禁止部１６ｄは、カードや管理装置２０に対して計数値の記録を行うことの禁止、遊技機５１に対する玉貸し処理の禁止、カードに対して計数値が価値付けられている場合における計数値を用いた計数玉払い出しの禁止、カード保持部１３に対するカード返却の禁止、といった該当するカードについての処理の禁止を指示する。
【００４４】
記憶部１７は、メモリやハードディスク装置といった記憶デバイスで構成される記憶部であり、最終返却識別子１７ａおよび制限識別子１７ｂを記憶する。最終返却識別子１７ａは、カード保持部１３が直近に返却したカードのカード識別子であり、カード返却のたびにカードＲ／Ｗ１４によって更新される。
【００４５】
制限識別子１７ｂは、管理装置２０からの取扱停止指示に係るカード識別子であり、取扱停止指示受付部１６ｃによって記憶部１７へ登録される。なお、この制限識別子１７ｂには、複数のカード識別子を含めることとしてもよい。
【００４６】
次に、管理装置２０の構成について説明する。管理装置２０は、通信Ｉ／Ｆ２１と、制御部２２と、を備えている。なお、同図では、管理装置２０の特徴点を説明するために必要な構成要素のみを抜粋して示している。
【００４７】
通信Ｉ／Ｆ２１は、ＬＡＮカードなどの通信デバイスで構成され、ネットワーク経由で、管理装置２０／台間装置１０間のデータ送受信を行う。制御部２２は、カード盗難が発生した台間装置１０から最終返却識別子１７ａを受け取る処理を行うとともに、受け取った最終返却識別子１７ａのカードの取扱いを停止するように、すべての台間装置１０、すべての精算機１００およびすべての景品交換機２００に対して指示する処理を行う処理部である。
【００４８】
識別子受信部２２ａは、通信Ｉ／Ｆ２１経由でカード盗難が発生した台間装置１０から最終返却識別子１７ａを受信し、受信した最終返却識別子１７ａを取扱停止指示送信部２２ｂへ通知する処理を行う処理部である。また、取扱停止指示送信部２２ｂは、識別子受信部２２ａから受け取った最終返却識別子１７ａを含んだ取扱停止指示を、台間装置１０、精算機１００および景品交換機２００といった記憶媒体取扱装置へ通信Ｉ／Ｆ２１経由で送信する処理を行う処理部である。
【００４９】
なお、図２では、盗難カードを返却制限する装置の例として台間装置１０を示したが、精算機１００あるいは景品交換機２００が返却制限を行う場合には、台間装置１０の処理禁止機能に対応する構成要素を備えることとすればよい。
【００５０】
具体的には、精算機１００あるいは景品交換機２００が、状態表示部１２、カード保持部１３、カードＲ／Ｗ１４、通信Ｉ／Ｆ１５、取扱停止指示受付部１６ｃ、処理禁止部１６ｄおよび記憶部１７を備えることとし、記憶部１７に制限識別子１７ｂを記憶することとすればよい。なお、精算機１００であれば、精算処理の禁止処理などを、景品交換機２００であれば、景品交換や貯玉の禁止処理などを、それぞれ行う。
【００５１】
次に、記録媒体管理システム１を構成する各装置が実行する処理手順について図４を用いて説明する。図４は、記録媒体管理システム１を構成する各装置が実行する処理手順を示すフローチャートである。なお、同図では、管理装置２０から取扱停止指示を受ける記録媒体取扱装置の例として台間装置１０を示しているが、他の記録媒体取扱装置、たとえば、精算機１００あるいは景品交換機２００も同様の処理を行うものとする。
【００５２】
同図に示すように、カードの盗難が発生した台間装置１０では、係員が携帯するリモコンからの仮停止指示をリモコン受光部１１経由で問合せ受付部１６ａが受信する（ステップＳ１０１）。そして、識別子通知部１６ｂが、記憶部１７に記憶されている最終返却識別子１７ａを含んだ仮停止に係る情報を管理装置２０へ送信する（ステップＳ１０２）。
【００５３】
管理装置２０では、盗難が発生した台間装置１０から最終返却識別子１７ａを識別子受信部２２ａが受信し（ステップＳ１０３）、取扱停止指示送信部２２ｂが、ステップＳ１０３で受信した最終返却識別子１７ａを含んだ取扱停止指示を各記録媒体取扱装置へ送信する（ステップＳ１０４）。
【００５４】
そして、すべての台間装置１０では、取扱停止指示受付部１６ｃが、かかる取扱停止指示を受信し（ステップＳ１０５）、取扱停止指示に含まれるカード識別子を制限識別子１７ｂとして記憶部１７へ登録する（ステップＳ１０６）。
【００５５】
つづいて、処理禁止部１６ｄは、制限識別子１７ｂと一致するカードを受け付けたか否かを判定し（ステップＳ１０７）、制限識別子１７ｂと一致するカードを受け付けた場合には（ステップＳ１０７，Ｙｅｓ）、該当するカードに関する処理を行わないようにカード保持部１３へ指示する（ステップＳ１０８）。具体的には、該当するカードに対する計数値の記録処理、カードを用いた玉貸し処理、カードに関連付けられた計数値に基づく計数玉の払い出し処理、カード返却の禁止といった、該当するカードについての処理の禁止を指示する。
【００５６】
そして、自装置識別子を管理装置２０へ通知するとともに（ステップＳ１０９）、状態表示部１２を所定の色で点灯させるなどの報知処理を行い（ステップＳ１１０）、処理を終了する。また、管理装置２０では、カードの返却制限を行った台間装置１０の自装置識別子を受信して（ステップＳ１１１）処理を終了する。
【００５７】
ところで、図４では、台間装置１０が、リモコン経由で仮停止指示（最終返却識別子１７ａの問い合わせ）を受ける場合について示したが、図３に示した表示／操作部４４経由で仮停止指示（最終返却識別子１７ａの問い合わせ）を受けることとしてもよい。
【００５８】
図５は、表示／操作部４４経由で最終返却識別子１７ａの問い合わせを行う場合の処理手順を示すフローチャートである。なお、図４に示したステップＳ１０５〜ステップＳ１１１の手順については、同様の手順であるので記載を省略している。ここで、図４に示したステップＳ１０５〜ステップＳ１１１の手順は、図５に示したＳ２０４につづいて実行されることになる。
【００５９】
図５に示すように、カード盗難が発生した台間装置１０では、係員が、表示／操作部４４の操作部から専用コードを入力する（ステップＳ２０１）。ここで、専用コードとは、遊技者は知らない係員専用のコードであり、最終返却識別子１７ａを問い合わせる旨の番号などのコードである。
【００６０】
つづいて、識別子通知部１６ｂが、記憶部１７に記憶されている最終返却識別子１７ａを管理装置２０へ送信し（ステップＳ２０２）、処理を終了する。管理装置２０では、盗難が発生した台間装置１０から最終返却識別子１７ａを識別子受信部２２ａが受信し（ステップＳ２０３）、取扱停止指示送信部２２ｂが、ステップＳ２０３で受信した最終返却識別子１７ａを含んだ取扱停止指示を各記録媒体取扱装置へ送信し（ステップＳ２０４）、処理を終了する。
【００６１】
ところで、図４および図５では、カード盗難が発生した台間装置１０で、係員が最終返却識別子１７ａの問い合わせを行う場合について示したが、台間装置１０以外の装置、たとえば、管理装置２０から、カード盗難が発生した台間装置１０へ問い合わせを行うこととしてもよい。そこで、以下では、管理装置２０が、台間装置１０へ最終返却識別子１７ａの問い合わせを行う場合について、図６および図７を用いて説明する。
【００６２】
図６は、管理装置２０経由で最終返却識別子１７ａの問い合わせを行う場合の概要を示す図である。なお、同図に示す台間装置１０ａで、カード盗難が発生したものとする（同図の（０）参照）。また、同図に示す台間装置１０ｂは、すべての台間装置１０（カード盗難が発生した台間装置１０ａを含む）のことを示すものとする。
【００６３】
管理装置２０では、図示しない入力装置経由で、盗難が発生した遊技台番号を入力する（同図の（１）参照）。なお、管理装置２０では、遊技台番号でカード盗難が発生した台間装置１０ａを特定できるように管理されているものとする。
【００６４】
管理装置２０は、特定した台間装置１０ａに対して最終返却識別子１７ａの問い合わせを行い（同図の（２）参照）、台間装置１０ａは、最終返却識別子１７ａを管理装置２０へ送信する（同図の（３）参照）。そして、管理装置２０は、すべての台間装置１０ｂ、すべての精算機１００およびすべての景品交換機２００に対して該当カード（最終返却識別子と一致する識別子のカード）の取扱停止指示を送信する（同図の（４）参照）。
【００６５】
そして、台間装置１０ｂ、精算機１００および景品交換機２００は、管理装置２０から指示された識別子を有するカードの取扱いを停止する。
【００６６】
次に、管理装置２０経由で最終返却識別子１７ａの問い合わせを行う場合の処理手順について図７を用いて説明する。図７は、管理装置２０経由で最終返却識別子１７ａの問い合わせを行う場合の処理手順を示すフローチャートである。なお、図４に示したステップＳ１０５〜ステップＳ１１１の手順については、同様の手順であるので記載を省略している。ここで、図４に示したステップＳ１０５〜ステップＳ１１１の手順は、図７に示したＳ３０６につづいて実行されることになる。
【００６７】
図７に示すように、管理装置２０で盗難が発生した遊技台番号が入力されると（ステップＳ３０１）、該当する台間装置（図６に示した台間装置１０ａ）に対して最終返却識別子１７ａの問い合わせが行われる（ステップＳ３０２）。
【００６８】
盗難が発生した台間装置１０ａでは、問合わせ受付部１６ａが、管理装置２０の問い合わせを受信したならば（ステップＳ３０３）、識別子通知部１６ｂが、記憶部１７に記憶されている最終返却識別子１７ａを管理装置２０へ送信し（ステップＳ３０４）、処理を終了する。
【００６９】
つづいて、管理装置２０では、識別子受信部２２ａが、盗難が発生した台間装置１０ａから最終返却識別子１７ａを受信する（ステップＳ３０５）。そして、取扱停止指示送信部２２ｂが、ステップＳ３０５で受信した最終返却識別子１７ａを含んだ取扱停止指示を各記録媒体取扱装置へ送信し（ステップＳ３０６）、処理を終了する。
【００７０】
上述してきたように、本実施例においては、台間装置では、記憶部が、直前に返却した記録媒体の識別子を記憶し、問合せ受付部が、直前に返却した記録媒体の問い合わせを受け付け、問い合わせを受け付けた場合に、識別子通知部が、識別子を管理装置へ通知するように構成した。また、管理装置では、取扱停止指示送信部が、台間装置から通知された識別子に対応する記録媒体の取扱いを停止するように、自装置が管理するすべての台間装置およびすべての記録媒体取扱装置に対して指示するように構成した。したがって、盗難された記録媒体を迅速に特定することができるとともに、盗難された記録媒体の使用を防止することができる。
【００７１】
なお、上述した実施例では、管理装置から取扱停止指示を受けた各記録媒体取扱装置（たとえば、台間装置、精算機および景品交換機）は、該当するカード（記録媒体）を受け付けた場合に、このカードについての処理を禁止する旨を説明したが、その際に、カードを保持したままエラーダウンし、報知処理および管理装置への通知処理を実行することとしてもよい。また、処理を遅滞させることで時間稼ぎをすることとしてもよい。ここで、処理を遅滞させるためには、処理と処理とのインターバルを長くしたり、各処理の処理速度自体を遅滞させたりすることとすればよい。
【産業上の利用可能性】
【００７２】
以上のように、本発明に係る記録媒体管理システムは、有価価値が価値付けられた記憶媒体の盗難防止に有用であり、特に、各台計数方式を採用した場合における記憶媒体の盗難防止に適している。
【符号の説明】
【００７３】
１    記録媒体管理システム
１０、１０ａ、１０ｂ  台間装置
１１    リモコン受光部
１２    状態表示部
１３    カード保持部
１４    カードＲ／Ｗ
１５    通信Ｉ／Ｆ
１６    制御部
１６ａ  問合せ受付部
１６ｂ  識別子通知部
１６ｃ  取扱停止指示受付部
１６ｄ  処理禁止部
１７    記憶部
１７ａ  最終返却識別子
１７ｂ  制限識別子
２０    管理装置
２１    通信Ｉ／Ｆ
２２    制御部
２２ａ  識別子受信部
２２ｂ  取扱停止指示送信部
４１    状態表示部
４２    紙幣挿入部
４３    リモコン受光部
４４    表示／操作部
４５    持ち玉払出部
４６    カード発行部
４７    計数部
４８    玉貯留部
４９    計数表示部
５０    持ち玉払出ボタン
５１    遊技機
１００    精算機
２００    景品交換機
【図１】
2014121532.tif 000003
【図２】
2014121532.tif 000004
【図３】
2014121532.tif 000005
【図４】
2014121532.tif 000006
【図５】
2014121532.tif 000007
【図６】
2014121532.tif 000008
【図７】
2014121532.tif 000009